(57)【要約】【課題】  収容される被包装物を視認可能な状態で確実に保持することができる包装体を提供する。【解決手段】本体板の下端側にて、前方へ突設される底面板と、下方立上板を介して前記底面板の上方に配設され、下方挿通部が形成される下方保持板とを有して略コ字状に形成される底部保持部と、前記本体板の上端側にて、前方へ突設される天面板と、上方立上板を介して前記天面板の下方に配設され、上方挿通部が形成される上方保持板とを有して略コ字状に形成される頭部保持部とを備えることを特徴とする包装体。【選択図】  図４
2017214086.tif 000002
【特許請求の範囲】
【請求項１】
本体板の下端側にて、前方へ突設される底面板と、下方立上板を介して前記底面板の上方に配設され、下方挿通部が形成される下方保持板とを有して略コ字状に形成される底部保持部と、
前記本体板の上端側にて、前方へ突設される天面板と、上方立上板を介して前記天面板の下方に配設され、上方挿通部が形成される上方保持板とを有して略コ字状に形成される頭部保持部と、
を備えることを特徴とする包装体。
【請求項２】
少なくとも前記底部保持部と前記頭部保持部とを前方から覆設する表面板を備える請求項１に記載の包装体。
【請求項３】
前記表面板は、前記底部保持部及び前記頭部保持部に保持される被包装物を視認可能とする開口部を有する請求項２に記載の包装体。
【請求項４】
前記頭部保持部の上方側にて、前記本体板と前記表面板が重合される重合部を備える請求項２又は請求項３に記載の包装体。
【請求項５】
前記底部保持部と前記頭部保持部とを連結し、前記本体板に重合される補強板を備える請求項１から請求項４のいずれか１項に記載の包装体。
【請求項６】
本体板、底面板、下方立上板、下方保持板、補強板、上方保持板、上方立上板、天面板及び貼着板を少なくとも有し、折線を介して縦一方向に順次連接され、
各構成板の組立状態にて、
前記本体板の下方側にて、前記本体板の前方へ折曲される前記底面板と、下方挿通部が形成される前記下方保持板とを前記下方立上板を介して略コ字状の底部保持部を形成し、
前記下方保持板に連接される前記補強板を前記本体板の前方側に重合させ、
前記本体板の上方側にて、前記本体板の前方へ折曲され、上方挿通部が形成される前記上方保持板と、前記天面板とを前記上方立上板を介して略コ字状の頭部保持部を形成することを特徴とする包装体。
【請求項７】
本体板、重合板、天面板、上方立上板、上方保持板、補強板、下方保持板、下方立上板、底面板及び貼着板を少なくとも有し、折線を介して縦一方向に順次連接され、
各構成板の組立状態にて、
前記本体板に連接される前記重合板を前記本体板の前方側に重合させ、
前記本体板の上方側にて、前記本体板の前方へ折曲され、上方挿通部が形成される前記上方保持板と、前記天面板とを前記上方立上板を介して略コ字状の頭部保持部を形成し、
前記下方保持板に連接される前記補強板を前記本体板の前方側に重合させ、
前記本体板の下方側にて、前記本体板の前方へ折曲される前記底面板と、下方挿通部が形成される前記下方保持板とを前記下方立上板を介して略コ字状の底部保持部を形成することを特徴とする包装体。
【請求項８】
前記本体板は、前記各構成板が設けられる一端部と対向する他端部に折線を介して表面板と係止手段とを少なくとも設けてなり、前記表面板は、開口部を有して前記底部保持部と前記頭部保持部とを前方から覆設し、前記一端部側に形成される前記底部保持部又は前記頭部保持部のいずれかに前記係止手段にて係止される請求項６又は請求項７に記載の包装体。
【発明の詳細な説明】
【技術分野】
【０００１】
本発明は、包装体に関するものであって、特に被包装物を視認可能な状態で収容する包装体に関するものである。
【背景技術】
【０００２】
従来より、折り畳み可能であって、被包装物を視認可能な状態で収容する包装体が公知である。
【０００３】
例えば、一枚のブランクシートから形成され、背面片と、背面片の上部に展示用フックに吊下げられる吊下げ部、背面片の下部に被包装物の下部を受ける受け部、及び吊下げ部と受け部の間に被包装物の上部を保持する保持部を備える包装体であって、受け部は、底片、前片、上片によりコの字状に形成され、背面片より前方に突出されてなり、上片に被包装物の下部が嵌入される嵌入部が形成されており、保持部は、保持部上片と保持部下片を折り曲げて重合し背面片より前方に突出させてなり、保持部上片と保持部下片に被包装物の上部を保持する挿入穴が形成されている包装体が公知である（特許文献１参照）。
【先行技術文献】
【特許文献】
【０００４】
【特許文献１】特開２０１５−２２９５１１号
【発明の概要】
【発明が解決しようとする課題】
【０００５】
しかしながら、上記構造の包装体においては、被包装物の上部を保持する際、保持部上片及び保持部下片に形成される挿入穴で保持するため、被包装物が受け部と保持部に挿通された状態となり、被包装物が搬送時に抜け落ちてしまったり、陳列時に抜き取られてしまったりすることが懸念されるものであった。
【０００６】
そこで、本発明はこのような問題点を解決するものであって、収容される被包装物を視認可能な状態で確実に保持することができる包装体を提供することを課題とする。
【課題を解決するための手段】
【０００７】
前記問題点を解決するために、本発明の請求項１に記載の包装体は、本体板の下端側にて、前方へ突設される底面板と、下方立上板を介して前記底面板の上方に配設され、下方挿通部が形成される下方保持板とを有して略コ字状に形成される底部保持部と、前記本体板の上端側にて、前方へ突設される天面板と、上方立上板を介して前記天面板の下方に配設され、上方挿通部が形成される上方保持板とを有して略コ字状に形成される頭部保持部とを備えることを特徴とするものである。
【０００８】
また、本発明の請求項２に記載の包装体は、請求項１に記載の包装体において、少なくとも前記底部保持部と前記頭部保持部とを前方から覆設する表面板を備えるものである。
【０００９】
また、本発明の請求項３に記載の包装体は、請求項２に記載の包装体において、前記表面板は、前記底部保持部及び前記頭部保持部に保持される被包装物を視認可能とする開口部を有するものである。
【００１０】
また、本発明の請求項４に記載の包装体は、請求項２又は請求項３に記載の包装体において、前記頭部保持部の上方側にて、前記本体板と前記表面板が重合される重合部を備えるものである。
【００１１】
また、本発明の請求項５に記載の包装体は、請求項１から請求項４のいずれか１項に記載の包装体において、前記底部保持部と前記頭部保持部とを連結し、前記本体板に重合される補強板を備えるものである。
【００１２】
また、本発明の請求項６に記載の包装体は、本体板、底面板、下方立上板、下方保持板、補強板、上方保持板、上方立上板、天面板及び貼着板を少なくとも有し、折線を介して縦一方向に順次連接され、各構成板の組立状態にて、前記本体板の下方側にて、前記本体板の前方へ折曲される前記底面板と、下方挿通部が形成される前記下方保持板とを前記下方立上板を介して略コ字状の底部保持部を形成し、前記下方保持板に連接される前記補強板を前記本体板の前方側に重合させ、前記本体板の上方側にて、前記本体板の前方へ折曲され、上方挿通部が形成される前記上方保持板と、前記天面板とを前記上方立上板を介して略コ字状の頭部保持部を形成することを特徴とするものである。
【００１３】
また、本発明の請求項７に記載の包装体は、本体板、重合板、天面板、上方立上板、上方保持板、補強板、下方保持板、下方立上板、底面板及び貼着板を少なくとも有し、折線を介して縦一方向に順次連接され、各構成板の組立状態にて、前記本体板に連接される前記重合板を前記本体板の前方側に重合させ、前記本体板の上方側にて、前記本体板の前方へ折曲され、上方挿通部が形成される前記上方保持板と、前記天面板とを前記上方立上板を介して略コ字状の頭部保持部を形成し、前記下方保持板に連接される前記補強板を前記本体板の前方側に重合させ、前記本体板の下方側にて、前記本体板の前方へ折曲される前記底面板と、下方挿通部が形成される前記下方保持板とを前記下方立上板を介して略コ字状の底部保持部を形成することを特徴とするものである。
【００１４】
また、本発明の請求項８に記載の包装体は、請求項６又は請求項７に記載の包装体において、前記本体板は、前記各構成板が設けられる一端部と対向する他端部に折線を介して表面板と係止手段とを少なくとも設けてなり、前記表面板は、開口部を有して前記底部保持部と前記頭部保持部とを前方から覆設し、前記一端部側に形成される前記底部保持部又は前記頭部保持部のいずれかに前記係止手段にて係止されるものである。
【発明の効果】
【００１５】
本発明の包装体では、本体板の前方側に底部保持部及び頭部保持部を設けるとともに、下方挿通部と上方挿通部が相互に対向するようにして各保持部に形成することで、各保持部間に被包装物を視認可能な状態で確実に保持することができる。
【図面の簡単な説明】
【００１６】
【図１】本発明の実施例１における包装体を展開した状態の裏面図である。
【図２】本発明の実施例１における包装体を折り畳んだ状態説明図である。
【図３】本発明の実施例１における包装体の図２の側面図である。
【図４】本発明の実施例１における包装体を組み立てた状態の斜視図である。
【図５】本発明の実施例１における包装体の図４のＡ−Ａ断面図である。
【図６】本発明の実施例２における包装体を展開した状態の裏面図である。
【図７】本発明の実施例２における包装体を折り畳んだ状態説明図である。
【図８】本発明の実施例２における包装体を組み立てた状態の斜視図である。
【図９】本発明の実施例２における包装体の図８のＢ−Ｂ断面図である。
【図１０】本発明の実施例２における別仕様の包装体を展開した状態の裏面図である。
【図１１】本発明の実施例２における別仕様の包装体を組み立てた状態の斜視図である。
【図１２】本発明の実施例２における別仕様の包装体を組み立てた状態の正面図である。
【図１３】本発明の実施例２における別仕様の包装体の図１２のＣ−Ｃ断面図である。
【図１４】本発明の実施例２における別仕様の包装体の図１２のＤ−Ｄ断面図である。
【図１５】本発明の実施例１における別仕様の包装体を展開した状態の裏面図である。
【図１６】本発明の実施例１における別仕様の包装体を組み立てた状態の中央縦断面図である。
【発明を実施するための形態】
【００１７】
以下、本発明の実施の形態における包装体を図面に基づいて説明する。当該包装体を自立させた状態を基準として、基準面側を当該包装体の下方とし、他方を当該包装体の上方とする。また、展開図において、縦方向を上下方向とし、横方向を左右方向とする。
【００１８】
当該包装体は、本体板１の下端側にて、前方へ突設される底面板２と、下方立上板３を介して底面板２の上方に配設され、下方挿通部５が形成される下方保持板４とを有して形成される底部保持部と、本体板１の上端側にて、前方へ突設される天面板１０と、上方立上板９を介して天面板１０の下方に配設され、上方挿通部８が形成される上方保持板７とを有して形成される頭部保持部とを備えるものである。これにより、視認可能な状態でボトル、チューブ等の被包装物の底部と頭部を確実に保持することができるものである。
【実施例１】
【００１９】
本発明の実施例１に係る包装体は、図１から図５に示すように、一枚の合成樹脂製、厚紙等のシート材、台紙等から形成されており、図１に示すような展開図からなるものである。図１は、当該包装体を展開した状態の裏面図である。
【００２０】
包装体を展開した状態において、上端部には、包装体の本体部となる本体板１が設けられる。当該本体板１は、被包装物を収容可能な形状であれば、特に制限されるものではなく、複数本の被包装物を収容することができるのは勿論である。本体板１は、例えば、略長方形状に形成され、上端部には包装体をフック等に係止可能とする係止孔１ａが設けられる。
【００２１】
本体板１には、下端に折線ａを介して下方保持部の底面を構成する底面板２が設けられる。当該底面板２の左右寸法は、本体板１の左右寸法と略同等とされる。また、底面板２には、下端に折線ｂを介して下方立上板３が設けられ、当該下方立上板３には、下端に折線ｃを介して下方保持板４が設けられる。
【００２２】
下方立上板３は、下方保持板４を底面板２の上方にて中空保持するために設けられており、下方立上板３の左右寸法は、底面板２の左右寸法と略同等となるよう形成され、上下寸法は適宜の寸法となるよう形成される。また、底面板２と下方保持板４の上下寸法は、略同寸法となるよう形成される。
【００２３】
また、下方保持板４の略中央部には、被包装物が挿通される下方挿通部５が形成される。当該下方挿通部５は、収容時に被包装物に対応するよう所定形状に貫通して形成されるものであれば、特に制限されるものではない。本実施例においては、２本の被包装物を保持できるよう下方挿通部５が形成される。
【００２４】
また、下方保持板４には、下端に折線ｄを介して補強板６が設けられる。当該補強板６は、下方保持部と後述の上方保持部とを連結するとともに、本体板１に重合されることで本体板１を補強するものである。補強板６の左右寸法は、本体板１の左右寸法と略同等とされる。
【００２５】
補強板６には、下端に折線ｅを介して上方保持板７が設けられる。上方保持板７の左右寸法は、本体板１の左右寸法と略同等とされ、上方保持板７の上下寸法は、下方保持板４の上下寸法と略同等となるよう設定される。これにより、本体板１の前方へ突設される下方保持部と上方保持部との前後方向の寸法を略同等とすることができる。
【００２６】
また、上方保持板７の略中央部には、被包装物が挿通される上方挿通部８が形成される。当該上方挿通部８は、収容時に被包装物に対応するよう所定形状に貫通して形成されるものであれば、特に制限されるものではない。本実施例においては、下方挿通部５と同様に、２本の被包装物を保持できるよう上方挿通部８が形成される。
【００２７】
また、上方保持板７には、下端に折線ｆを介して上方立上板９が設けられ、当該上方立上板９には、下端に折線ｇを介して天面板１０が設けられる。上方立上板９は、天面板１０を上方保持板７の上方にて中空保持するために設けられており、上方立上板９の左右寸法は、上方保持板７の左右寸法と略同等となるよう形成され、上下寸法は適宜の寸法となるよう形成される。また、上方保持板７と天面板１０の上下寸法は、略同寸法となるよう形成される。また、天面板１０には、下端に折線ｈを介して本体板１に貼着される貼着板１１が設けられる。
【００２８】
また、図１に示すように、本体板１の裏面部において、本体板１の下方部には、糊等が塗布される貼着部Ｐが設けられる。また、貼着板１１の表面部及び裏面部において、糊等が塗布される貼着部Ｐが設けられる。
【００２９】
このようにして、展開図が形成される包装体は、次のようにして組み立てられる。以下の組み立て順序は一例であり、これに限られるものではないのは勿論である。
【００３０】
まず、折線ｇにしたがって天面板１０及び貼着板１１を本体板１の内側方向へ折曲させるとともに、貼着板１１の裏面部における貼着部Ｐにて貼着板１１を補強板６に貼着する。そして、図２に示すように、折線ｂより下方に位置する構成板を本体板１側へ折曲させて重合し、本体板１の裏面部における貼着部Ｐにて補強板６を本体板１に貼着するとともに、貼着板１１の表面部における貼着部Ｐにて貼着板１１を本体板１に貼着し、扁平状とする。当該扁平状態においては、図３に示すように、本体板１の略中央部より上方側が三つ折り状に折り畳まれ、下方側が二つ折り状に折り畳まれている。
【００３１】
次に、当該扁平状態から底部保持部を組み立てる際には、底面板２に指をかけ、底面板２を本体板１の前方上方側へ引き起こす。これにより、補強板６が本体板１に貼着されるので、各折線を介して、底面板２、下方立上板３及び下方保持板４を折曲させることができる。
【００３２】
より詳細には、折線ａを介して底面板２が本体板１の前方側へ山折りされることで、下方立上板３及び下方保持板４が折線ｂ、ｃ、ｄに沿って底面板２に追従し、下方保持板４が底面板２の上方に配置された状態となり、図４及び図５に示すように、略コ字状の底部保持部が形成される。
【００３３】
また、頭部保持部を起こす際には、上方保持部７に指をかけ、上方保持部７を本体板１の前方上方側へ引き起こす。これにより、補強板６及び貼着板１１が本体板１に貼着されるので、各折線を介して、上方保持板７、上方立上板９及び天面板１０を折曲させることができる。
【００３４】
より詳細には、折線ｅを介して上方保持部７が本体板１の前方側へ開かれることで、上方立上板９及び天面板１０が折線ｆ、ｇ、ｈに沿って上方保持部７に追従し、天面板１０が上方保持板７の上方に配置された状態となり、図４及び図５に示すように、略コ字状の頭部保持部が形成される。
【００３５】
このようにして構成される包装体は、下方挿通部５と上方挿通部８とが相互に対向するように配置されている。これにより、被包装物の底部を下方挿通部５に挿通するとともに、被包装物の頭部を上方挿通部８に挿通することで、被包装物を包装体に収容し、保持することができる。
【００３６】
当該収容状態においては、頭部保持部を構成する天面板１０に挿通部が形成されるものでなく、被包装物の底部及び頭部が底部保持部及び頭部保持部によって確実に保持されているので、搬送時に抜け落ちてしまったり、陳列時に抜き取られてしまったりする虞もない。また、被包装物の底部及び頭部以外の部分は、外部から視認可能となるので、意匠性に優れたものとなる。
【００３７】
以上、説明した本発明に係る包装体によれば、本体板１の前方側に底部保持部及び頭部保持部を設けるとともに、下方挿通部５と上方挿通部８が相互に対向するようにして各保持部に形成することで、各保持部間に被包装物を視認可能な状態で確実に保持することができる。
【００３８】
また、上述した組み立て順序により、折線ａからｈにしたがって各構成板を折曲すればよいので、自動製函機（サックマシン）で作製できるものとなり、量産化がし易いものとなる。
【実施例２】
【００３９】
本発明の実施例２に係る包装体について、図６から図９に基づいて説明する。本実施例における包装体は、実施例１における構造と略同様であるが、下方保持部及び上方保持部を前方側から覆設する表面板１２を備える構造が実施例１と相違するものである。詳細につき、以下に説明する。
【００４０】
本実施例における包装体は、図６に示すような展開図からなり、図６は、当該包装体を展開した状態の裏面図である。当該包装体は、本体板１より下方に順次連接される構成板については実施例１と同様である。
【００４１】
本実施例における本体板１は、実施例１における本体板１より縦長に形成されており、上方側に折線ｉを介して本体側重合部１ｂが設けられるとともに、折線ｊを介して本体側傾斜部１ｃが設けられてなる。また、本体板１には、上端に折線ｋを介して表面板１２が設けられる。
【００４２】
当該表面板１２は、本体板１と略同形状に形成されており、下方側に折線ｌを介して本体側重合部１ｂに対応する表面側重合部１２ｂが設けられるとともに、折線ｍを介して本体側傾斜部１ｃに対応する表面側傾斜部１２ｃが設けられる。また、表面板１２における表面側重合部１２ｂには、本体板１の係止孔１ａに対応するようにして、同様の係止孔１２ａが形成される。また、本体板１の裏面部において、本体側重合部１ｂには、糊等が塗布される貼着部Ｐが設けられる。
【００４３】
また、表面板１２には、開口部１３が形成される。当該開口部１３は、収容される被包装物を視認可能とするよう設けられるものであり、同図に示すように、略四角状に大きく開口するものであってもよいし、複数に開口するものであってもよく、その形状、個数等が特に制限されるものではない。開口部１３は、少なくとも上方保持部と下方保持部に対応する領域の両保持部間に設けることが望ましい。その際、意匠性の観点から、可能な範囲において、開口部１３の領域を大きくすることが望ましい。
【００４４】
また、表面板１２には、上端に折線ｎを介して折り返し板１４が設けられ、当該折り返し板１４には、折線ｏを介して係止片１５が設けられる。折り返し板１４は、底面板２と重合して底部保持部を補強するよう設けられるものであり、底面板２と略同形状に形成される。また、係止片１５は、本体板１に連接される表面板１２を底部保持部に係止するために設けられるものであり、後述の係止孔１６とともに係止手段を構成するものである。
【００４５】
また、底面板２は、折線ａにて折曲させることで、折線ａの一部に係止孔１６が形成されるよう構成されており、係止片１５を当該係止孔１６に係止することで、表面板１２を底部保持部に係止することができる。また、本体板１の下端には、上方に向けて破断部１７が設けられるとともに、折線ａに沿って折曲される当該破断部１７を区画するように破断線１８が設けられる。当該破断部１７は、係止片１５と係止孔１６との係止状態を解除して、包装体を折り畳む際に使用される。
【００４６】
このようにして展開図が形成される実施例２の包装体は、実施例１と略同様にして組み立てられ、図７に示すようにして、折線ｋを介して表面板１２を底部保持部及び頭部保持部に重合させて、扁平状とする。当該扁平状態においては、本体板１の略中央部より上方側が三つ折り状に折り畳まれ、下方側が二つ折り状に折り畳まれている。
【００４７】
そして、底部保持部及び頭部保持部を引き起こし、図８及び図９に示すようにして、折線ｎを介して折り返し板１４を底面板２に重合させるとともに、折線ｏを介して係止片１５を折曲させ係止孔１６に係止させて、底部保持部及び頭部保持部の前方側を表面板１２で覆設した状態とする。
【００４８】
当該状態においては、頭部保持部の上方側にて、包装体の厚み方向の略中央部に本体側重合部１ｂと表面側重合部１２ｂとを重合させて貼着し、重合部を形成するので、係止孔１ａ、１２ａが形成される包装体の上端部の強度を向上させることができる。また、両重合部１ｂ、１２ｂの前後方向に傾斜状の本体側傾斜部１ｃと表面側傾斜部１２ｃが形成されるので、包装体の意匠性を向上させることができる。さらに、底部保持部及び頭部保持部の前方側を開口部１３を有した表面板１２で覆設するので、実施例１と比較して被包装物の抜き取り防止効果を向上させることができる。その他の作用、効果等については、実施例１と同様である。
【００４９】
また、上記実施例２における包装体においては、本体側傾斜部１ｃを有する本体板１と表面側傾斜部１２ｃを有する表面板１２にて、本体板１の上方側を構成するものであったが、これに限られるものではない。例えば、いずれか一方の傾斜部を取り除いて、他方の傾斜部で天面板１０を覆設する構成とすることもできる。
【００５０】
具体的には、図１０に示すように、実施例２における展開図において、表面板１２に表面側傾斜部１２ｃを有さない構成とし、その他を実施例２における構造と略同様とする。そして、図１１から図１４に示すように、実施例２と略同様にして組み立てる。係る際においては、本体側傾斜部１ｃにて天面板１０を覆設するとともに、頭部保持部の上方側にて、表面板１２と同一面上となるよう、本体側重合部１ｂと表面側重合部１２ｂとを重合させて貼着し、重合部を形成する。これにより、表面板１２側の領域を大きくすることができ、意匠性を向上させることができる。その他の作用、効果等については、実施例２と同様である。また、本体板１に本体側傾斜部１ｃを有さない構成とすることができるのは勿論である。
【００５１】
また、上記実施例１及び実施例２においては、２本の被包装物を保持できるよう下方挿通部５及び上方挿通部８が形成されるものであったが、これに限られるものではない。例えば、図１０から図１４に示すようにして、下方挿通部５と上方挿通部８とを相互に対向することがないよう設けることもできる。係る際には、夫々の被包装物の頭部又は底部のみを保持した状態で包装体に収容されるので、被包装物の全体を開口部１３から視認することができ、有用である。
【００５２】
また、上記実施例１及び実施例２においては、表面板１２が本体板１に連接されるものであったが、これに限られるものではない。例えば、表面板１２を本体板１と別体として、表面板１２を頭部保持部及び底部保持部に固着することもできるし、本体板１及び底部保持部に固着することもできる。係る際の固着手段においては、同様にして、係止片１５等にて係止させるものであってもよいし、糊等にて貼着させるものであってもよく、これに限られない。すなわち、少なくとも頭部保持部と底部保持部とを表面板１２にて前方から覆設する構成であればよい趣旨である。
【００５３】
また、上記実施例１及び実施例２においては、折り返し板１４を底面板２に重合させて、係止片１５を折曲させ係止孔１６に係止させるものであったが、これに限られるものではない。例えば、図６又は図１０において、折り返し板１４を取り除いて、表面板１２の上端に係止片１５を設ける構成とすることもできる。係る際には、折線ｂの一部に係止孔１６が形成されるよう構成することで、係止片１５を介して、表面板１２を底部保持部に係止することができる。また、底部保持部を構成する構成板に係止片１５を係止させる態様とすることもできるし、表面板１２が底部保持部に係止されるような態様であればよい趣旨である。
【００５４】
また、上記実施例１においては、本体板１の下端に底部保持部及び頭部保持部等が連接されるものであったが、これに限られるものではない。例えば、本体板１の上端にこれらの構成板を連接させることもできる。係る際には、図１５及び図１６に示すように、本体板１の上端に係止孔１９ａが形成される重合板１９を設けるとともに、頭部保持部を構成する構成板、補強板６、底部保持部を構成する構成板及び貼着板１１を順に連接して設けることで、同様の包装体を形成することができる。このとき、本体板１に重合板１９が重合されるので、実施例２と同様にして、係止孔１ａ、１９ａが形成される包装体の上端部の強度を向上させることができる。また、実施例２における表面板１２においては、本体板１の下端に折り返し板１４、表面板１２及び係止片１５を連接するとともに、係止片１５を頭部保持部に係止することで同様の包装体を形成することができる。係る際に、表面板１２を別体として、適宜の箇所に固着することができるのは勿論である。
【００５５】
すなわち、本体板１は、頭部保持部、底部保持部等を構成する各構成板が設けられる一端部と対向する他端部に折線を介して表面板１２と係止手段とを少なくとも設けてなるものである。そして、表面板１２は、開口部１３を有して、底部保持部と頭部保持部とを前方から覆設し、一端部側に形成される底部保持部又は頭部保持部のいずれかの係止孔１６に係止手段となる係止片１５にて係止されるものである。
【００５６】
また、上記実施例１及び実施例２においては、扁平状態の包装体から頭部保持部を引き起こす際、上方保持部７に指をかけ、上方保持部７を本体板１の前方上方側へ引き起こすよう頭部保持部が折り畳まれるものであったが、これに限られるものではなく、天面板１０を本体板１の前方下方側へ引き起こすよう頭部保持部を折り畳んで扁平状態とすることができるのは勿論である。
【００５７】
その他、形状、寸法、材質等を適宜変更して実施することが可能である。また、一部構成を省略することができるし、一部抽出した構成とすることができるのは勿論である。
【符号の説明】
【００５８】
１      本体板
２      底面板
３      下方立上板
４      下方保持板
５      下方挿通部
６      補強板
７      上方保持板
８      上方挿通部
９      上方立上板
１０    天面板
１１    貼着板
１２    表面板
１３    開口部
Ｐ      貼着部
ａ〜ｏ  折線
【図１】
2017214086.tif 000003
【図２】
2017214086.tif 000004
【図３】
2017214086.tif 000005
【図４】
2017214086.tif 000006
【図５】
2017214086.tif 000007
【図６】
2017214086.tif 000008
【図７】
2017214086.tif 000009
【図８】
2017214086.tif 000010
【図９】
2017214086.tif 000011
【図１０】
2017214086.tif 000012
【図１１】
2017214086.tif 000013
【図１２】
2017214086.tif 000014
【図１３】
2017214086.tif 000015
【図１４】
2017214086.tif 000016
【図１５】
2017214086.tif 000017
【図１６】
2017214086.tif 000018